(57)【要約】【課題】コンベア搬送中の物品を、別のコンベアに乗り移らせるのに好適な、比較的シンプルでメンテナンスが容易であって、省スペース効果があるコンベア間移載用コンベア装置を提供することを課題とする。【解決手段】下流端側ベルト受け部２１と上流端側ベルト受け部１１とがそれぞれ、上下二段の水平傾斜軸１２、１３、２２、２３と上下二段の平行軸１４、１５、２４、２５とで構成され、前記水平傾斜軸はそれぞれ、搬送方向に直交する方向に対して角度を持たせて配設され、前記平行軸はそれぞれ、前記搬送面の外側位置において搬送方向と平行状態に配置され、往路のベルトは、下流端側ベルト受け部２１の上段水平傾斜軸２２、平行軸２４、２５、下段水平傾斜軸２３を経て復路に移行し、復路のベルトは、上流端側ベルト受け部１１の下段水平傾斜軸１３、下段平行軸１５、上段平行軸１４、上段水平傾斜軸１２を経て往路に戻る。【選択図】図４
2014237537.tif 000002
【特許請求の範囲】
【請求項１】
搬送面を区画する下流端側ベルト受け部と上流端側ベルト受け部とがそれぞれ、上下二段の水平傾斜軸と上下二段の平行軸とで構成され、前記下流端側ベルト受け部の上下水平傾斜軸と前記上流端側ベルト受け部の上下水平傾斜軸はそれぞれ、前記搬送面の搬送方向に直交する方向に対して角度を持たせて配設され、前記上下二段の平行軸はそれぞれ、前記搬送面の外側位置において前記搬送面の搬送方向と平行状態に配置され、往路のベルトは、前記下流端側ベルト受け部の上段水平傾斜軸を経ることによって前記搬送面域外に出され、前記上下二段の平行軸を経て前記搬送面域内に戻された後、前記下流端側ベルト受け部の下段水平傾斜軸を経ることによって前記往路の下側の復路を形成し、前記復路のベルトは、前記上流端側ベルト受け部の下段水平傾斜軸を経ることによって前記搬送面域外に出され、前記上下二段の平行軸を経て前記搬送面域内に戻された後、前記上流端側ベルト受け部の上段水平傾斜軸を経ることによって前記往路を形成することを特徴とするコンベア間移載用コンベア装置。
【請求項２】
前記下流端側ベルト受け部の上下二段の水平傾斜軸と前記上流端側ベルト受け部の上下二段の水平傾斜軸は、それぞれ枢動可能にされてその傾斜角度の変更が可能にされる、請求項１に記載のコンベア間移載用コンベア装置。
【請求項３】
前記下流端側ベルト受け部の上下二段の平行軸と前記上流端側ベルト受け部の上下二段の平行軸は、それぞれ枢動可能にされてその傾斜角度の変更が可能にされる、請求項１又は２に記載のコンベア間移載用コンベア装置。
【請求項４】
前記下流端側ベルト受け部の上下二段の水平傾斜軸の間隔は、前記上流端側ベルト受け部の上下二段の水平傾斜軸の間隔よりも広くされる、請求項１乃至３のいずれかに記載のコンベア間移載用コンベア装置。
【請求項５】
前記下流端側ベルト受け部の上下二段の水平傾斜軸及び前記上流端側ベルト受け部の上下二段の水平傾斜軸は、回転することのない断面円形の樹脂材で構成される、請求項１乃至４のいずれかに記載のコンベア間移載用コンベア装置。
【発明の詳細な説明】
【技術分野】
【０００１】
本発明は、コンベア間移載用コンベア装置に関するものであり、より詳細には、あるコンベアにより搬送されてきた物品を、それとは別のコンベアに受け渡すためにその２つのコンベア間に配設されるコンベア間移載用コンベア装置に関するものである。
【背景技術】
【０００２】
一般に、ある方向に向けて搬送されてきた物品を受け取り、それを搬送しつつその搬送ルートを変更するために、カーブコンベアが用いられる。カーブコンベアは、平面扇形状をなす無端カーブベルトを循環駆動する特殊形態のものであるが、外周側と内周側の進行速度が異なるためにベルトが内方向に引っ張られるという現象が起こりやすく、そのための対策が必要となり、その分コストが嵩む等の問題がある（特開２００６−３４７７０４号公報、特開２００７−１０６５９５号公報等）。
【０００３】
このカーブコンベアの場合、搬送方向を単に直角方向に変更するためであればそれ程問題はないかもしれないが、例えば、Ａコンベアを搬送中の物品を、Ａコンベアから距離を置いて並走するＢコンベアに移すような場合は、少なくともカーブコンベアが２つ必要となる。また、ＡコンベアとＢコンベアとが離れている場合は、更に２つのカーブコンベア間にストレートコンベアを介在させる必要があり、その分コストが嵩むだけでなく、より大きなスペースが必要となる。
【先行技術文献】
【特許文献】
【０００４】
【特許文献１】特開２００６−３４７７０４号公報
【特許文献２】特開２００７−１０６５９５号公報
【発明の概要】
【発明が解決しようとする課題】
【０００５】
本発明は、上記従来技術における問題点に鑑みてなされたもので、あるコンベアで搬送中の物品を、それとは別のコンベアに乗り移らせる用途に用いるのに好適な、比較的シンプルでメンテナンスが容易であって、省スペース効果があるコンベア間移載用コンベア装置を提供することを課題とする。
【課題を解決するための手段】
【０００６】
上記課題を解決するための請求項１に係る発明は、搬送面を区画する下流端側ベルト受け部と上流端側ベルト受け部とがそれぞれ、上下二段の水平傾斜軸と上下二段の平行軸とで構成され、前記下流端側ベルト受け部の上下水平傾斜軸と前記上流端側ベルト受け部の上下水平傾斜軸はそれぞれ、前記搬送面の搬送方向に直交する方向に対して角度を持たせて配設され、前記上下二段の平行軸はそれぞれ、前記搬送面の外側位置において前記搬送面の搬送方向と平行状態に配置され、往路のベルトは、前記下流端側ベルト受け部の上段水平傾斜軸を経ることによって前記搬送面域外に出され、前記上下二段の平行軸を経て前記搬送面域内に戻された後、前記下流端側ベルト受け部の下段水平傾斜軸を経ることによって前記往路の下側の復路を形成し、前記復路のベルトは、前記上流端側ベルト受け部の下段水平傾斜軸を経ることによって前記搬送面域外に出され、前記上下二段の平行軸を経て前記搬送面域内に戻された後、前記上流端側ベルト受け部の上段水平傾斜軸を経ることによって前記往路を形成することを特徴とするコンベア間移載用コンベア装置である。
【０００７】
一実施形態においては、前記下流端側ベルト受け部の上下二段の水平傾斜軸と前記上流端側ベルト受け部の上下二段の水平傾斜軸は、それぞれ枢動可能にされてその傾斜角度の変更が可能にされる。また、一実施形態においては、前記下流端側ベルト受け部の上下二段の平行軸と前記上流端側ベルト受け部の上下二段の平行軸は、それぞれ枢動可能にされてその傾斜角度の変更が可能にされる。
【０００８】
また、一実施形態においては、  前記下流端側ベルト受け部の上下二段の水平傾斜軸の間隔は、前記上流端側ベルト受け部の上下二段の水平傾斜軸の間隔よりも広くされ、前記下流端側ベルト受け部の上下二段の水平傾斜軸及び前記上流端側ベルト受け部の上下二段の水平傾斜軸は、回転することのない断面円形の樹脂材で構成される。
【発明の効果】
【０００９】
本発明は上述したとおりであって、比較的シンプルな構成であり、並行する、あるいは、異なる方向に向く２つのコンベア間に配置することにより、当該２つのコンベア間における搬送物の受け渡しをスムーズに行うことが可能で、スペースに限りがある工場等において用いるのに好適なる効果がある。また、種々のコンベア間に配置して利用することが可能で、特に、請求項２に係る発明においては、前後に配置されるコンベアの搬送方向等に応じて、上下二段の水平傾斜軸の傾斜角度を変更し得る効果がある。  
【図面の簡単な説明】
【００１０】
【図１】本発明に係るコンベア間移載用コンベア装置の正面図である。
【図２】本発明に係るコンベア間移載用コンベア装置の平面図である。
【図３】本発明に係るコンベア間移載用コンベア装置の要部斜視図である。
【図４】図２におけるＡ視図である。
【図５】図２におけるＢ視図である。
【図６】本発明に係るコンベア間移載用コンベア装置の使用例を示す簡略図である。
【発明を実施するための形態】
【００１１】
本発明を実施するための形態について、添付図面を参照しつつ詳細に説明する。図１は、本発明に係るコンベア間移載用コンベア装置の全体構成を示す正面図、図２はその平面図であり、該装置は、架台フレーム１の上部に対設された側枠２の上流側に配設されて搬送面の上流端を画する上流端側ベルト受け部１１と、側枠２の下流側に配設されて搬送面の下流端を画する下流端側ベルト受け部２１とを備える。
【００１２】
上流端側ベルト受け部１１は、搬送方向に直交する方向に対して角度を持たせて配設される上下二段の水平傾斜軸１２、１３と、搬送面から外れた位置において搬送方向と平行状態に配置される上下二段の平行軸１４、１５とから成り、下流端側ベルト受け部２１は、搬送面の搬送方向に直交する方向に対して角度を持たせて配設される上下二段の水平傾斜軸２２、２３と、搬送面から外れた位置において搬送方向と平行状態に配置される上下二段の平行軸２４、２５とから成る。
【００１３】
通例、各平行軸１４、１５、２４、２５はフリーローラーとされるが、各水平傾斜軸１２、１３、２２、２３には、軸に沿ってベルトが横滑りすることを防止するために、回転することのない断面円形の樹脂材が用いられる。例えば、水平傾斜軸１２、１３、２２、２３は、樹脂製パイプ材の全長に亘ってスリットを設け、金属製板材２２ａ、２３ａの一半部をそのスリットから押し込んだ構成とすることができる（図３参照）。あるいは、金属製板材２２ａ、２３ａの一側辺に円形棒材を連設し、上記スリットを設けた樹脂製パイプ材を横方向から被装した構成とすることもできる。
【００１４】
好ましい実施形態においては、水平傾斜軸１２、１３と水平傾斜軸２２、２３は、それぞれ一端部が枢支されて枢動可能にされ、以て、その傾斜角度の変更が可能な構成とされる。    
【００１５】
水平傾斜軸２２、２３は、一端部がそれぞれ架台フレーム１に垂直に配設された枢軸２６において軸支され、他端部同士が連結材２７によって連結されることで、水平傾斜軸２２と水平傾斜軸２３とが一体となって、枢軸２６を軸に枢動可能となるように構成される（図３参照）。
【００１６】
例えば、その枢動動作は、架台フレーム１に設けられた垂直支持材２８に設置された調整ネジ２９の螺進・螺退操作により行われる。調整ネジ２９は、垂直支持材２８から横に伸びるネジ用ブラケット３０を通し、先端部が連結材２７にねじ込まれる（連結材２７自体に螺設し又はナットを固定する。）。かくして、調整ネジ２７を螺進又は螺退させるに伴って、連結材２７が押され又は引かれることになり、以て、水平傾斜軸２２、２３の傾斜角度調整が可能となる。
【００１７】
好ましい実施形態においては、連結材２７に横方向に伸びるストッパー板３１が設置される。このストッパー板３１は、垂直支持材２８に当たることにより、水平傾斜軸２２、２３の傾斜角度（広角度方向）を規制し、過度の傾斜を防止する役目を果たす。また、垂直支持材２８に、横方向に伸びるピン用ブラケット３２が設置され、その端部にストッパーピン３３が配備される。このストッパーピン３３は、連結杆２７に当たることにより、水平傾斜軸２２、２３の傾斜角度（狭角度方向）を規制し、過度の傾斜を防止する役目を果たす。
【００１８】
図示してないが、水平傾斜軸１２、１３も、上記水平傾斜軸２２、２３の場合と同様の方法で、一体に枢動可能に構成される。なお、上下の水平傾斜軸１２と水平傾斜軸１３、並びに、水平傾斜軸２２と水平傾斜軸２３は、それぞれ一体に枢動するために傾斜角度は同じであるが、上流端側ベルト受け部１１の水平傾斜軸１２、１３の傾斜角度と、下流端側ベルト受け部２１の水平傾斜軸２２、２３の傾斜角度は、必ずしも同じである必要はなく、用途に応じて任意に設定することができる。
【００１９】
一実施形態においては、平行軸１４、１５及び平行軸２４、２５も、枢動可能に構成される。そのために、平行軸２４、２５の一端部を軸支する軸受部材３４、３５が枢軸２６において枢支され、平行軸２４、２５の他端部が、連結材３６において軸支されると共に連結される（図３参照）。そして、架台フレーム１に設置された垂直支持材３７を通して調整ネジ３８が、連結材３６にねじ込まれる。この場合も、調整ネジ３８の螺進・螺退に伴って平行軸２４、２５が一体となって枢動することは、上記水平傾斜軸１２、１３、２２、２３の場合と同じである。また、平行軸１４、１５についても、平行軸２４、２５と同様の構成とすることができる。
【００２０】
上記水平傾斜軸１２、１３、２２、２３と平行軸１４、１５、２４、２５に対する無端ベルトの巻き掛けは、次のようにして行う。先ず、下流側のＡ視（図４）において、上流側から到来する往路のベルト４０は、上段の水平傾斜軸２２に沿って折り返され、その傾斜角に応じて搬送路から外れる方向に水平に進行し（傾斜角が４５度であれば、搬送方向と直角の方向に進行する。）、搬送路から外に出る。そして、上段の平行軸２４に巻き掛けられて下方に進行し、下段の平行軸２５に巻き掛けられて内方に引き込まれた後、下段の水平傾斜軸２３に上方から巻き掛けられて、往路の下側の復路を進行する。
【００２１】
一方、上流側のＢ視（図５）においては、下流側から到来する復路のベルト４０ａは、下段の水平傾斜軸１３に沿って折り返されて搬送路外に出され、平行軸１５、１４に掛け回されて上方に進行した後内方に引き込まれた後、上段の水平傾斜軸１２に下方から巻き掛けられることにより、往路のベルト４０となる。
【００２２】
復路のベルト４０ａは、その中間位置において、架台フレーム１に設置された駆動モータ４１のプーリに巻回されることにより、循環駆動される。また、復路のベルト４０ａは、複数の緊張ローラー４２によって、緊張状態が維持される。
【００２３】
図６は、本発明に係るコンベア間移載用コンベア装置の使用例を示す簡略図である。その（Ａ）に示す例は、上流側コンベア５１によって搬送されてくる物品を、上流側コンベア５１から離れていて上流側コンベア５１と平行方向に伸びる下流側コンベア５２に移送するためのものである。この場合の上流側コンベア５１は、その下流側端部が本装置の上流側端部上に張り出し、また、下流側コンベア５２は、その上流側端部が、本装置の下流側端部の下側に位置するように配置される。
【００２４】
下流端側ベルト受け部２１における水平傾斜軸２２、２３間の間隔（図４参照）が、上流端側ベルト受け部１１における水平傾斜軸１２、１３間の間隔（図５参照）よりも広く設定されるのは、下流側コンベア５２の上流側端部が、水平傾斜軸２２、２３間に入り込めるようにするためである。かくして、上流側コンベア５１によって搬送されてくる物品は、その下流側端部から本装置上に落ちて搬送され、本装置の下流側端部から下流側コンベア５２上に落ちて搬送されていく。
【００２５】
図６（Ｂ）に示す使用例は、上流側コンベア５１と下流側コンベア５２の間隔が図６（Ａ）に示す例の場合よりも狭い場合であり、図６（Ｃ）に示す使用例は、上流側コンベア５１と本装置との間にカーブコンベア５３を配した場合である。本装置の使用例はその他にも種々考えられ、ここに限定し切れない。
【００２６】
なお、図６（Ａ）に示されるように、上流側コンベア５１と本装置のなす角が大きい場合は、物品の乗り移りがスムーズにいかないことが多いため、各コンベアの搬送面の高さを異ならしめることが多いが、図６（Ｂ）に示される場合のように、上流側コンベア５１と本装置のなす角が小さい場合は、各コンベアの搬送面の高さを同じにしても差し支えない。また、図６（Ｃ）に示すように、カーブコンベア５３を用いる場合は、各コンベアの搬送面の高さは同じにされる。
【００２７】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２８】
１      架台フレーム
２      側枠
１１    上流端側ベルト受け部
１２、１３  水平傾斜軸
１４、１５  平行軸
２１    下流端側ベルト受け部
２２、２３  水平傾斜軸
２４、２５  平行軸
２６    枢軸
２７    連結材
２８    垂直支持材
２９    調整ネジ
３０    ネジ用ブラケット
３１    ストッパー板
３２    ピン用ブラケット
３３    ストッパーピン
３４、３５  軸支部材
３６    連結材
３７    垂直支持材
３８    調整ネジ
４０    ベルト
４１    駆動モータ
４２    緊張ローラー
５１    上流側コンベア
５２    下流側コンベア
５３    カーブコンベア
【図１】
2014237537.tif 000003
【図２】
2014237537.tif 000004
【図３】
2014237537.tif 000005
【図４】
2014237537.tif 000006
【図５】
2014237537.tif 000007
【図６】
2014237537.tif 000008